(57)【特許請求の範囲】
【請求項１】
集合住宅に設置して飲料製品を販売するベンディングマシンであって、
前記飲料製品を収納する飲料製品収納領域と、
対価が投入されたことに応じて、前記飲料製品収納領域に収納された飲料製品をその対価に応じた数だけ供給する飲料製品供給手段と、
前記飲料製品の売上金を集計し、記憶する売上金記憶手段と、
前記飲料製品に入った飲料を飲用することにより生じた空の容器を収納する空容器収納領域と、
前記空容器収納領域に収納された空の容器の数の前記飲料製品供給手段が供給した飲料製品の数に対する比を空容器の回収率として記憶する回収率記憶手段と、
前記売上金記憶手段に記憶された売上金と前記回収率記憶手段に記憶された回収率との両方に応じて管理料を算出する管理料算出手段と、
前記管理料算出手段が算出した管理料及び前記回収率記憶手段に記憶された回収率を表示する管理料・回収率表示手段とを備えるベンディングマシン。
【請求項２】
飲料製品を販売するベンディングマシンに併設されたボトルクラッシャーであって、
前記ベンディングマシンから提供された飲料製品を飲用することにより生じた空の容器を回収する空容器回収手段と、
前記空容器回収手段が回収した空の容器の数の経時変化に基づいて、前記ベンディングマシンへの飲料製品の補充頻度を算出する補充頻度算出手段と、
前記補充頻度算出手段が算出した補充頻度を表示する補充頻度表示手段とを備えるボトルクラッシャー。
【請求項３】
請求項２に記載のボトルクラッシャーと通信可能に接続されたサーバ機であって、
前記補充頻度算出手段が算出した補充頻度を受信し、その受信した補充頻度を表示するサーバ機側補充頻度表示手段を備えるサーバ機。
【請求項４】
集合住宅に設置して飲料製品を販売するベンディングマシンの管理運営方法であって、
前記ベンディングマシンは、制御装置及び記憶装置を備え、
前記制御装置が、
対価が投入されたことに応じて、前記ベンディングマシンに予め収納した飲料製品をその対価に応じた数だけ供給する飲料製品供給工程と、
前記飲料製品の売上金を集計し、前記記憶装置に記憶する売上金記憶工程と、
前記飲料製品に入った飲料を飲用することにより生じた空の容器が前記ベンディングマシンに収納された数の前記飲料製品供給工程で供給した飲料製品の数に対する比を空容器の回収率として前記記憶装置に記憶する回収率記憶工程と、
前記売上金記憶工程で記憶した売上金と前記回収率記憶工程で記憶された回収率との両方に応じて管理料を算出する管理料算出工程と、
前記管理料算出工程で算出した管理料及び前記回収率記憶工程で記憶した回収率を表示する管理料・回収率表示工程とを実行する方法。
【請求項５】
飲料製品を販売するベンディングマシンの管理運営方法であって、
前記ベンディングマシンに併設されたボトルクラッシャーは、制御装置及び表示装置を備え、
前記制御装置は、
前記ボトルクラッシャーに投入された空の容器の数を経時的に集計する投入量集計工程と、
前記投入量集計工程で集計した空の容器の数の経時変化に基づいて、前記ベンディングマシンへの飲料製品の補充頻度を算出する補充頻度算出工程と、
前記補充頻度算出工程で算出した補充頻度を前記表示装置に表示する補充頻度表示工程とを実行する方法。
【請求項６】
請求項５に記載の方法であって、
前記ボトルクラッシャーと通信可能に接続されたサーバ機は、サーバ機側制御装置及びサーバ機側表示装置を備え、
前記サーバ機側制御装置は、前記補充頻度算出工程で算出した補充頻度を前記ボトルクラッシャーから受信し、その受信した補充頻度を前記サーバ機側表示装置に表示する工程を実行する方法。
【請求項７】
前記飲料製品には、取り外し可能とするミシン目が両端部に亘って形成された種類表示用ラベルが取着されていることを特徴とする請求項４から６のいずれかに記載の方法。
【請求項８】
前記種類表示用ラベルには、前記飲料製品から取り外し収集することにより景品と引き換えることを可能とする付加価値が設けられていることを特徴とする請求項７に記載の方法。
【発明の詳細な説明】
【０００１】
【発明の属する技術分野】
本発明は、マンションなどの集合住宅に設置された大型ペットボトル入り飲料水販売用のベンディングマシンにおけるペットボトルの回収を効果的に行うための自動販売機の管理運営方法に関する。
【０００２】
【従来の技術】
近年、都会においては水質の悪化により水道水がこれに含まれる塩素の量の増加などにより飲み水としてあまり健康に良くない美味しくないものになりつつある。このため、良質な水が大型ペットボトルなどに収容され広く販売されている。そして、このような大型ペットボトルに収容され販売される水は、従来からの必需品という扱いに加えて嗜好品として扱われつつあり、スーパーマーケットやコンビニエンスストアでの販売をはじめとし、宅配サービスや専用ウォーターサーバの設置など、いろいろな方法により消費者の手元に届けられるようになっている。また、消費者としても若年層から主婦、熟年層まで幅広く愛飲されるようになっている。
【０００３】
【発明が解決しようとする課題】
しかしながら、このような水が収容された大型ペットボトルに関しては、水の消費量を考えたときにどうしてもまとめ買いをする場合が多くなるのでその持ち運びをする際に非常に重くて不便に感じる。また、都市生活においてはマンションやアパートなどの集合住宅をはじめとし土地付き住宅においてもその敷地面積が非常に小さいものが多く、大型ペットボトルを購入した後の保管場所の確保や使用後の空ペットボトルの扱いに非常に困るなど多くの問題を抱えている。
【０００４】
一方、近年、世界的な環境問題の一つとして大気に有害物質を出すプラスチック製品の処理が挙げられており、これを改善するべく製品のリサイクルの推進が叫ばれている。このような状況下において、水を収容した大型ペットボトルなどもリサイクルの推進を図るべくキャンペーン活動の実施やゴミの分別収集、ゴミ箱の種別化などが行われているが、消費者にとっての問題意識の低さも相俟ってか回収率が非常に低い。さらに、リサイクルするためには回収された後に他の製品やゴミなどを捨てて大型ペットボトルのみを分別する必要がありこの分別作業が非常に面倒であり且つ時間のかかる作業であるので、リサイクルの効率化を図ることが困難である。特に、大型ペットボトルをはじめとするペットボトルには、その商品名や品質などを表示するための表示ラベルが取着されており、この表示ラベルが大型ペットボトルの材質と異なる場合が多いため、リサイクルするためには大型ペットボトルから表示ラベルを取り外し分別する費用があり、非常に面倒である。
【０００５】
本発明は、上記課題を解決するために、特にマンションなどの大型集合住宅などに設置する大型ペットボトルのベンディングマシンにおける大型ペットボトルの回収率を向上させてリサイクル推進に貢献するとともに、大型ペットボトルの持ち運びや処理などの取り扱いを便利にすることが可能な自動販売機の管理運営方法を提供することを目的とする。
【０００６】
【課題を解決するための手段】
以上のような課題から、本発明者は鋭意研究を重ねた結果、を見出した。以下に、本発明のより具体的な手段について説明する。
【０００７】
（１）の発明は、集合住宅に設置された大型ペットボトル入り飲料水販売用のベンディングマシンにおける「空ペットボトルの回収率」及び／または「売上金の集計額」に応じて設置集合住宅の管理料の支払額を算出し、その表示を行うことを特徴とする自動販売機の管理運営方法である。
【０００８】
（１）の発明によれば、集合住宅に住む人々は表示される管理料の支払額を見ることにより、この支払額を大きくして自身に還元されるように空ペットボトルの回収を積極的に行いやすくなるので、その設置集合住宅における空ペットボトルの回収率を向上させることになり、ペットボトルのリサイクルの推進に大きく貢献することが可能となる。また、これにともないペットボトルを供給する側にとっては、ペットボトルを製造するための材料費を低減させることが可能になるとともに、一旦ペットボトルを溶融した後にペットボトル以外の別の製品に成形するなどして別の製品への転用をより活用することが可能となる一方、空ペットボトルを処分する際に有害物質が出てしまうといった環境問題にも大きく貢献することが可能となる。
【０００９】
（２）の発明は、大型ペットボトル入り飲料水販売用のベンディングマシンに併設されたボトルクラッシャーに投入されたペットボトルの数と種類を経時的に集計してデータを蓄積し、投入されたペットボトルの数と種類の経時変化に基づいて、将来における前記ベンディングマシンへの大型ペットボトル入り飲料水の補充頻度の算出及び当該算出結果の表示を行うことを特徴とする自動販売機の管理運営方法である。
【００１０】
（２）の発明によれば、ボトルクラッシャーに投入されたボトルの数と種類の経時変化に基づく補充頻度をペットボトルの種類毎に表示させることが可能であり、ペットボトルの補充作業が迅速に行われやすく常にペットボトルが補充された状態にするためにペットボトルをボトルクラッシャーへ投入させることを促すことになり、ペットボトルのリサイクル推進に貢献し得るとともに、各種類のペットボトルの供給者に対して空ペットボトルをボトルクラッシャーへ投入させるための努力を他の種類のペットボトルとの比較において客観的に促す効果を奏し、ペットボトルのリサイクルに貢献し得る。また、ボトルクラッシャーにより回収されるペットボトルを平坦状に潰して空ペットボトルを収納するための容積を小さくしてこの空ペットボトルの取り出し作業の効率化を図るとともに、回収された空ペットボトルの集計をボトルクラッシャーの稼動回数に応じて容易にカウントすることが可能になる。
【００１１】
（３）の発明は、（１）又は（２）に記載の自動販売機の管理運営方法であって、前記ベンディングマシンにおけるペットボトルには、取り外し可能とするミシン目が両端部に亘って形成された大型ペットボトル入り飲料水の種類表示用ラベルが取着されていることを特徴とする。
【００１２】
（３）の発明によれば、種類表示用ラベルをミシン目に沿って容易に切り込みを入れつつペットボトルから取り外すことが可能となるので、例えば、ボトルクラッシャーに投入される前に、この種類表示用ラベルを取り外しその後に投入する可能性を大きくさせることにより、ペットボトルをリサイクルする上で不純物となり得る種類表示用ラベルを取り外す作業を行う減少化させ、リサイクルの効率化に貢献することが可能となる。
【００１３】
（４）の発明は、（３）に記載の自動販売機の管理運営方法であって、前記種類表示用ラベルには、ペットボトルから取り外し収集することにより景品と引き換えることを可能とする付加価値が設けられていることを特徴とする。
【００１４】
（４）の発明によれば、ペットボトルの購入者は景品との引き換えを可能とする種類表示用ラベルをペットボトルから取り外す可能性がより高くなり、この取り外した状態で空ペットボトルを投入しやすく上述したリサイクルの効率化をさらに高めることが可能となる。
【００１５】
[用語の定義]
「管理料の支払額」とは、自動販売機を設置する側がこの自動販売機が設置されている集合住宅を管理する側に対して、ベンディングマシンにおける大型ペットボトルの回収の推進やその他の管理を行って頂いていることに関して支払う管理料の額である。
【００１６】
また、「ベンディングマシン」とは、複数の大型ペットボトルを収納可能とし消費者の操作に応じて大型ペットボトルを一個づつ供給することが可能な供給装置である。「ボトルクラッシャー」とは、回収された空ペットボトルを例えば平坦状に押し潰しその容積を小さくする装置である。
【００１７】
さらに、「景品と引き換えることを可能とする付加価値」とは、例えば、種類表示用ラベルを１０枚集めると靴下などの景品と交換可能であったり、ハワイ旅行が抽選で当たるなど、単に種類表示用ラベルとしての大型ペットボトルの種類を消費者に認識させるという役目以外の役目を持つことである。
【００１８】
【発明の実施の形態】
次に、本発明の自動販売機の管理運営方法についての具体的な実施形態について説明するが、本発明はこれらに限定されるものでない。
【００１９】
まず、本実施形態に用いる図面について説明する。図１は本実施形態の自動販売機の管理運営方法の概要を説明するための概要説明図である。図２は本実施形態のベンディングマシンの機能を示す機能ブロック図である。図３は本実施形態に用いるベンディングマシンを示す概略正面図である。図４はベンディングマシンの表示部における表示内容を説明するための説明図である。図５は本実施形態における管理料の支払額とペットボトルの回収率及び売上金の集計額との関係を示すグラフである。図６は本実施形態に用いる大型ペットボトルを示す概略正面図である。
【００２０】
これら図面を用いて説明すると、本実施形態の自動販売機の管理運営方法は、マンションなどの集合住宅に大型ペットボトル入り飲料水販売用のベンディングマシンを設置し、このベンディングマシンにおける「空ペットボトルの回収率」及び／または「売上金の集計額」に応じて設置集合住宅の管理料の支払額を算出し、その表示を行うものである。図１に示すように、集合住宅１には大型ペットボトル入り飲料水Ｐを販売するためのベンディングマシン２が設置されており、このベンディングマシン２を多くの住人３が利用し、大型ペットボトル入り飲料水Ｐを購入する一方、飲料水を使い切った空ペットボトルＫをベンディングマシン２に投入する。また、ボトルサービサー４は、ベンディングマシン２に大型ペットボトル入り飲料水Ｐの補充を定期的に行う一方、住人３が投入した空ペットボトルを回収するといったサービスを行う。そして、ボトルサービサー４は、集合住宅１で投入された空ペットボトルの回収率及び／または売上金の集計額に応じて、集合住宅の管理者あるいは住人に対してある一定の管理料の支払いを行うようにする。管理料の支払いに関する詳細については後述する。
【００２１】
本実施形態のベンディングマシン２は、図２に示すように、住人３などが大型ペットボトル入り飲料水Ｐを購入する際に投入した金銭などを検知する光センサなどを用いた料金検知センサ５と、この料金検知センサ５の検知に基づき可動し大型ペットボトル入り飲料水Ｐを払い出す大型ペットボトル払出用モータ６と、払い出される大型ペットボトル入り飲料水Ｐを検知する大型ペットボトル払出センサ７と、料金検知センサ５の金銭の検知に基づき売上金の集計を順次蓄積して一旦記憶するＲＡＭ８とを備える一方、集合住宅１における住人３が大型ペットボトル入り飲料水Ｐを使用した後に投入する空ペットボトルＫを検知する光センサなどの空ペットボトル検知センサ９と、ベンディングマシン２において住人３に購入された大型ペットボトル入り飲料水Ｐの数に対する投入された空ペットボトルの数としてＲＡＭ８に一旦記憶される「空ペットボトルの回収率」及びＲＡＭ８に記憶された「売上金の集計額」に応じて設置集合住宅の管理料の支払額を算出するプログラムが記憶されたＲＯＭ１０と、上記管理料の支払額の表示を行う表示部１１と、上述した制御をＲＯＭ１０におけるプログラムに基づいて実行するＣＰＵ１２とを備える。表示部１０には管理料の支払額を数値として表示する表示画面１３と、表示画面１３において数値などを表示させる制御を行う表示制御回路１４とを備える。
【００２２】
また、本実施形態のベンディングマシン２は、図３に示すように、縦長の略長方体形状をなす形態を有しており、その内部に多くの大型ペットボトル入り飲料水Ｐを収納している。そして、その正面側には大型ペットボトル入り飲料水Ｐを購入する際に金銭などを投入する料金投入口１５と、大型ペットボトル入り飲料水Ｐが払い出され購入者としての住人３がこれを取り出す取出口１６とが設けられている一方、住人３に大型ペットボトル入り飲料水Ｐを使用した後に空ペットボトルＫとして投入させ回収するための回収口１７と、上述した管理料の支払額などを表示させる液晶などの表示画面１３とが設けられている。この表示画面１８には、図４に示すように、ＣＰＵ１２の制御により算出された管理料の支払額や空ペットボトルの回収率などが数値として表示される。このような構成によれば、集合住宅の住人は表示画面１３に表示される管理料の支払額を見ることが可能であり、この支払額を大きくして自身に還元されるように空ペットボトルＫの回収を積極的に行いやすくなるので、その設置集合住宅における空ペットボトルＫの回収率を向上させることになり、空ペットボトルＫのリサイクルの推進に大きく貢献することが可能となる。また、これにともない大型ペットボトル入り飲料水Ｐを供給する側としてのボトルサービサー４にとっては、大型ペットボトルを製造するための材料費を低減させることが可能になるとともに、一旦大型ペットボトルを溶融した後にこれ以外の別の製品に成形するなどして別の製品への転用をより活用することが可能となる一方、空ペットボトルＫを処分する際に有害物質が出てしまうといった環境問題にも大きく貢献することが可能となるのである。
【００２３】
また、管理料の支払額については、図５に示すような関係式により算出することが可能である。この例においては売上集計に対して最大約２０％及び最小約６．６％が空ペットボトルＫの回収率に応じて管理料として集合住宅１の管理者もしくは住人３側に支払われることになる。例えば、売上集計が１５００００円であるときに、支払われる管理料は１００００円〜３００００円となる。そして、住人３から空ペットボトルＫをどの程度回収されたかを把握するべく空ペットボトルＫの回収率に着目し、その回収率が５０％であるときに１００００＋（３００００−１００００）×５０／１００の算式により２００００円と算出される。仮に回収率が１００％であるときには３００００円と算出されるので、集合住宅１の管理者や住人３にとっては空ペットボトルの回収に協力することが非常にメリットのあることなので、さらに回収率が向上しリサイクルがより推進されることになるのである。また、このような回収率による管理料の支払額は売上集計の額が大きくなるほどその差が広がるように算出されるので、空ペットボトルＫの回収に対するメリットも大きくなるにして、住人３が空ペットボトルＫの回収を進んで行うような状況にしている。
【００２４】
また、本実施形態における大型ペットボトル入り飲料水Ｐは、図６に示すように、取り外し可能とするミシン目１９が上端から下端にかけて両端部に亘って形成された大型ペットボトル入り飲料水の種類表示用ラベル２０が取着されている。この種類表示用ラベル２０には、商品名、メーカー名や採水地名など飲料水の特定を行うことが可能な表示がなされている。このような構成とすることにより、種類表示用ラベル２０をミシン目１９に沿って容易に切り込みを入れつつ大型ペットボトルから取り外すことが可能となるので、ベンディングマシン２に空ペットボトルＫを投入する前に、この種類表示用ラベル２０を取り外しその後に投入する可能性を大きくさせることにより、大型ペットボトルをリサイクルする上で不純物となり得る種類表示用ラベルを取り外す作業を行う減少化させ、リサイクルの効率化に貢献することが可能となる。
【００２５】
さらに、本実施形態における種類表示用ラベル２０には、大型ペットボトルから取り外しこれを１０枚収集して応募することにより景品としての靴下と引き換えることを可能とする付加価値が設けられている。このような構成とすることにより、ペットボトルの購入者としての住人３たちは景品との引き換えを可能とする種類表示用ラベル２０を大型ペットボトルから取り外す可能性がより高くなり、この取り外した状態で空ペットボトルＫを投入しやすく上述したリサイクルの効率化をさらに高めることが可能となるのである。
【００２６】
次に、本発明の自動販売機の管理運営方法における別の実施形態について説明する。この別の実施形態においては次に示す図面が用いられる。図７は別の実施形態の自動販売機の管理運営方法を説明するための概略説明図である。図８は別の実施形態に用いられるボトルクラッシャーの機能を示す機能ブロック図である。図９は別の実施形態におけるベンディングマシン及びボトルクラッシャーを示す概略正面図である。図１０は別の実施形態におけるボトルクラッシャーの表示画面に表示される内容であり、投入されたペットボトルの数と種類の経時変化を告知している状態を説明するための説明図である。図１１は別の実施形態におけるボトルクラッシャーの表示画面に表示される内容を示し、将来におけるベンディングマシンへの大型ペットボトル入り飲料水の補充頻度の算出結果を告知している状態を説明するための説明図である。
【００２７】
これら図面に基づいて説明すると、この別の実施形態における自動販売機の管理運営方法は、大型ペットボトル入り飲料水販売用のベンディングマシンに空ペットボトルを押し潰すためのボトルクラッシャーを併設し、このボトルクラッシャーに投入された空ペットボトルの数と種類を経時的に集計してデータを蓄積し、投入された空ペットボトルの数と種類の経時変化に基づいて、将来におけるベンディングマシンへの大型ペットボトル入り飲料水の補充頻度の算出及び当該算出結果の表示を行うといったものである。この自動販売機の管理運営方法は、図７に示すように、大型ペットボトル入り飲料水販売用のベンディングマシン３０に大型ペットボトル入り飲料水を使用した後に投入された空ペットボトルを平坦状に押し潰すボトルクラッシャー３１を併設させてこれらを一組として、マンションなどの集合住宅３２、大型販売店３３や多くの会社が集合しているような会社のビル３４などにそれぞれ設置し、これらベンディングマシン３０及びボトルクラッシャー３１と専用回線などで通信接続が可能な状態とされるサーバ機３５を管理運営者が後述する種々のデータを管理するといった構成からなる。
【００２８】
この実施形態におけるベンディングマシン３０の機能については、特に図示しないが、購入者の投入した料金検知センサと、この料金検知センサによる金銭の検知に応じて大型ペットボトルを払い出すために可動する大型ペットボトル払出用モータと、払い出された大型ペットボトルを検知する大型ペットボトルの払出センサとを備える。
【００２９】
また、この実施形態のボトルクラッシャー３０は、図８に示すように、空ペットボトルの投入者が手で操作し投入ドアを開閉動させるドア開閉ボタン４０及び後述するクラッシャー部の可動を指示するスタートボタン４１を有する操作ボタン４２と、使用した後の空ペットボトルをクラッシャー部に投入されたのを検知する投入検知センサ４３と、投入ドアをドア開閉ボタン４０の操作により開閉動させるために可動するドア開閉用モータ４４及びスタートボタン４１の操作により可動し空ペットボトルを押し潰すべく押圧体を移動させるクラッシュ用モータ４５を有するクラッシャー部４６と、投入された大型ペットボトルの数と種類を経時的に集計してデータを蓄積し一時的に記憶するＲＡＭ４７と、投入された大型ペットボトルの数と種類の経時変化に基づいて将来におけるベンディングマシンへの大型ペットボトル入り飲料水の補充頻度の算出を行うプログラムが記憶されたＲＯＭ４８と、将来におけるベンディングマシン３０への大型ペットボトル入り飲料水の補充頻度の算出結果の表示を行う表示部４９と、ＲＯＭ４８におけるプログラムを実行させるＣＰＵ５０とを備える。表示部４９は、大型ペットボトル入り飲料水の補充頻度の算出結果を画像として表示する表示画面５１と、表示画面５１の画像表示を制御する表示制御回路５２とを備える。
【００３０】
次に、別の実施形態に用いるベンディングマシン３０及びボトルクラッシャー３１の構造について簡単に説明する。ベンディングマシン３０は、略長方体形状の形態をなし、その内部に４種類の大型ペットボトルが個別に整理された状態で収納しており、購入者に各大型ペットボトルの種類を把握させるべく見本５３を横一列に展示するとともに、各見本の下方部分に商品の払出を促す払出ボタン５４を設置し、その下方部分に大型ペットボトルを購入するための金銭の投入を行う料金投入口５５を設け、さらに、その下方部分に払出ボタン５４の操作により選択された大型ペットボトル入り飲料水が払い出されるは払出口５６が配設されている。
【００３１】
また、ボトルクラッシャー３１は、その内部に空ペットボトルを平坦状に押し潰すためのクラッシャー部４６が設けられており、その正面部分において投入ドア５７が開閉動自在に設けられている。この投入ドア５７の裏側には投入された空ペットボトルが載置される図示しない載置台が設置されている。また、投入ドア５７の下方部分にはドア開閉ボタン４０及びスタートボタン４１が並設されており、さらにその下方部分には表示画面５１が配設されている。
【００３２】
表示画面５１においては様々な内容を表示させることが可能であり、例えば、図１０に示すように、ボトルクラッシャーに投入されたペットボトルの数と種類を経時的に集計したデータをグラフで示すことが可能である。このグラフによれば、ある一定の数の空ペットボトルが投入されるとベンディングマシン３０への補充が必要であることを画像として告知している。また、表示画面５１においては、図１１に示すように、投入されたペットボトルの数と種類の経時変化に基づいて、将来におけるベンディングマシンへの大型ペットボトル入り飲料水の補充頻度を表示させることが可能である。この表示においては、各種類のペットボトルがベンディングマシン３０へ何日おきに補充する必要があるのか補充間隔日が示されている。
【００３３】
このような構成によれば、ボトルクラッシャー３１に投入された空ペットボトルの数と種類の経時変化に基づく補充頻度をペットボトルの種類毎に表示させることが可能であり、大型ペットボトル入り飲料水の補充作業が迅速に行われやすく常に大型ペットボトル入り飲料水が補充された状態にするために空ペットボトルをボトルクラッシャー３１へ投入させることを促すことになり、空ペットボトルのリサイクル推進に貢献し得るとともに、各種類の大型ペットボトル入り飲料水の供給者に対して空ペットボトルをボトルクラッシャー３１へ投入させるための努力を他の種類のペットボトルとの比較において客観的に促す効果を奏し、空きットボトルのリサイクルに貢献し得る。また、ボトルクラッシャー３１により回収される空ペットボトルを平坦状に潰して空ペットボトルを収納するための容積を小さくしてこの空ペットボトルの取り出し作業の効率化を図るとともに、回収された空ペットボトルの集計をボトルクラッシャー３１の可動回数に応じて容易にカウントすることが可能になる。
【００３４】
また、管理運営者側のサーバ機３５においても、表示画面５１において表示されるデータを画像として表示させることが可能であり、これらの内容を把握することにより迅速に対応して必要な大型ペットボトル入り飲料水を補充するとともに、ボトルクラッシャー３１に押し潰され回収された空ペットボトルを迅速に回収することが可能である。
【００３５】
上記実施形態においては、ベンディングマシンやボトルクラッシャーの表示画面に管理料の支払額や補充頻度の算出結果の表示を行っているが、これに限定されるものでなく、例えば、管理運営者が別途表示を行う表示装置を設けて表示させたり、特に電子的に表示させずに、集合住宅の連絡板に書き記すことも可能である。
【００３６】
【発明の効果】
以上説明したこの発明によれば、ベンディングマシンを設置した集合住宅における空ペットボトルの回収率を向上させることになり、ペットボトルのリサイクルの推進に大きく貢献することが可能となる。
【図面の簡単な説明】
【図１】  本実施形態の自動販売機の管理運営方法の概要を説明するための概要説明図である。
【図２】  本実施形態のベンディングマシンの機能を示す機能ブロック図である。
【図３】  本実施形態に用いるベンディングマシンを示す概略正面図である。
【図４】  ベンディングマシンの表示部における表示内容を説明するための説明図である。
【図５】  本実施形態における管理料の支払額とペットボトルの回収率及び売上金の集計額との関係を示すグラフである。
【図６】  本実施形態に用いる大型ペットボトルを示す概略正面図である。
【図７】  別の実施形態の自動販売機の管理運営方法を説明するための概略説明図である。
【図８】  別の実施形態に用いられるボトルクラッシャーの機能を示す機能ブロック図である。
【図９】  別の実施形態におけるベンディングマシン及びボトルクラッシャーを示す概略正面図である。
【図１０】  別の実施形態におけるボトルクラッシャーの表示画面に表示される内容であり、投入されたペットボトルの数と種類の経時変化を告知している状態を説明するための説明図である。
【図１１】  別の実施形態におけるボトルクラッシャーの表示画面に表示される内容を示し、将来におけるベンディングマシンへの大型ペットボトル入り飲料水の補充頻度の算出結果を告知している状態を説明するための説明図である。
【符号の説明】
１、３２  ・・・集合住宅
２、３０  ・・・ベンディングマシン
４  ・・・ボトルサービサー
５  ・・・料金検知センサ
６  ・・・大型ペットボトル払出用モータ
７  ・・・大型ペットボトル払出センサ
８、４７  ・・・ＲＡＭ
９  ・・・空ボトル検知センサ
１０、４９・・・表示部
１３、５１・・・表示画面
１９・・・ミシン目
２０・・・種類表示用ラベル
３１・・・ボトルクラッシャー
３５・・・サーバ機
４２・・・操作ボタン
４６・・・クラッシャー部
Ｐ・・・・大型ペットボトル入り飲料水
Ｋ・・・・空ペットボトル
【図１】
0004602613.tif 000002
【図２】
0004602613.tif 000003
【図３】
0004602613.tif 000004
【図４】
0004602613.tif 000005
【図５】
0004602613.tif 000006
【図６】
0004602613.tif 000007
【図７】
0004602613.tif 000008
【図８】
0004602613.tif 000009
【図９】
0004602613.tif 000010
【図１０】
0004602613.tif 000011
【図１１】
0004602613.tif 000012